(57)【要約】      （修正有）【課題】使用者が必要に応じてシャフトの長さを調整して確実に固定することが可能で、かつ調整後の長さを正確に再現可能であるゴルフパター組み立てセットを提供する。【解決手段】シャフト１と、ヘッド２と、一端側にシャフトを固定可能なシャフト固定手段３ａを備えつつ他端側にヘッドを固定可能なヘッド固定手段３ｂを備えるシャフト取付手段とを含むゴルフパター組み立てセットにおいて、ゴルフパター組み立てセットには、少なくとも１種類のスペーサ４ａ〜４ｃからなるスペーサセットを含んでおり、シャフト取付手段には、スペーサを挿入取付することを可能としている。【選択図】図１
0003137705.tif 000002
【実用新案登録請求の範囲】
【請求項１】
シャフトと、ヘッドと、一端側に該シャフトを固定可能なシャフト固定手段を備えつつ他端側に該ヘッドを固定可能なヘッド固定手段を備えるシャフト取付手段とを含むゴルフパター組み立てセットにおいて、
該ゴルフパター組み立てセットには、少なくとも１種類のスペーサからなるスペーサセットを含んでおり、
該シャフト取付手段には、スペーサを挿入取付することが可能である
ことを特徴とする、ゴルフパター組み立てセット。
【請求項２】
前記スペーサは、２個以上を連結可能である
ことを特徴とする、請求項１に記載のゴルフパター組み立てセット。
【請求項３】
前記スペーサセットは、３個のスペーサを含んでおり、これらの有効長さの比はおおむね１：２：４である
ことを特徴とする、請求項２に記載のゴルフパター組み立てセット。
【請求項４】
前記スペーサセットは、もっとも有効長さの短いものの有効長さが１０ｍｍ乃至１５ｍｍであることを特徴とする、請求項１乃至請求項３に記載のゴルフパター組み立てセット。
【請求項５】
前記スペーサは一端に螺子体を備え、他端に螺子穴を備え、これらの螺子はゴルフパターでボールを打った際に締結方向の力が作用する方向とされている
ことを特徴とする、請求項１乃至請求項４のいずれか一の請求項に記載のゴルフパター組み立てセット。
【請求項６】
前記スペーサの断面は、ほぼ正六角形である
ことを特徴とする、請求項５に記載のゴルフパター組み立てセット。
【請求項７】
前記スペーサの側面には、回り止め穴が設けられている
ことを特徴とする、請求項５に記載のゴルフパター組み立てセット。
【考案の詳細な説明】
【技術分野】
【０００１】
本考案は、ゴルフパターに関する。より詳しくは、使用者が必要に応じてシャフトの長さを調整して確実に固定することが可能で、かつ調整後の長さを正確に再現可能であるゴルフパターに関する。
【背景技術】
【０００２】
ゴルフクラブの最適な長さは、プレイヤーである使用者の背丈や腕の長さによって異なる。また、嗜好や打ち癖によっても使い易い長さは異なるものであるので、同じ使用者であっても徐々に最適な長さが変化することもある。ところが、既存のゴルフクラブのシャフトの長さは概ね規格寸法が設定されているため、規格寸法以外のものを入手し難いものであった。また、使用者にとってゴルフクラブのヘッドが使い慣れたものであったり、グリップ部分が手になじんだものであったとしても、打ち癖の変化で最適なシャフトの長さが変化した場合には、新たなゴルフクラブを求めなければならなかった。
【０００３】
上記のような問題点を解決するため、従来よりさまざまな工夫がなされている。例えば、特開２００２−２８２４０１号公報には、シャフトを、内部軸と外部軸のはめ込み配置によって構成し、かつ、はめ込み配置の内部軸部分にかみ合うために外部軸の内側に沿って伸びる内部チューブが設けられてこれの末端が分割されており、この分割末端をエキスパンダで引き起こすことによって内部軸と外部軸を固定することが可能なゴルフクラブが開示されている。前記ゴルフクラブは伸縮範囲内で任意の長さにシャフトの長さを調整可能であり、また、その調整範囲も非常に広い。また、内部チューブの分割末端を引き起こすエキスパンダはねじ機構で駆動するので、シャフトの固定も極めて強固であるなどの優れた特徴を有している。
【０００４】
しかし、ゴルフクラブのグリップ部分に強いばねやボルトといった金属部品を内蔵する必要があり、グリップ部分の重量が大きくなりがちである。また、はめ込み配置部分、つまり、シャフトの途中に分割末端やエキスパンダが設けられるため、シャフトの途中に重量の大きい部分ができてしまう。シャフトの途中に重量の大きい部分が発生することは、ゴルフクラブ全体が重くなる以上に、ヘッドよりも高い位置にゴルフクラブの重心が移動してしまうことが原因で使い勝手が悪くなることの影響が深刻である。特に、比較的弱い力で慎重に狙いをつけてボールを打つことを要するゴルフパターではこの影響が大きい。
【０００５】
また、シャフトを任意の長さに調整できるものの、一度シャフトの長さを変更するとこれを正確にもとの長さに戻すことが容易ではない。そもそもシャフトの長さを変更できるゴルフクラブは使用者が自身に最適なシャフトの長さを見出すことを目的に使用することも少なくないと想像されるのであるから、シャフトの長さを数水準に正確に設定でき、それぞれの状態での使用感を確認できることが好ましいのだが、任意の長さに調整できるという特徴が逆にこれを難しくしている。なお、シャフトに目盛りを設けたり、しるしを記入することでこの問題はある程度解消できるが、都度目盛りを読み控えることは面倒であるし、また、ゴルフクラブの外観上も好ましいとは言いがたい。
【０００６】
同様の発明の例として、特開２００３−２３０６４６号公報に開示のシャフトの長さを変更可能なゴルフクラブが開示されている。このゴルフクラブは、シャフトの捻り剛性を高めるために矩形断面のシャフトを採用しており、シャフトの固定はカメラ等を支持する三脚等に用いられる構造と同様の構造を利用している。この例でも、伸縮範囲内で任意の長さにシャフトの長さを調整可能であり、かつ、その調整範囲も非常に広いという特徴を有する。
【０００７】
カメラ等を指示する三脚等に用いられる構造はすでによく工夫されたもので、使用が容易かつ軽量なものが多数知られている。しかし、軽量である一方で固定部の剛性は一般的に低く、ボールを打つ際にシャフトにある程度のがたつきまたはしなりを生じることは避けがたく、また、強い力に耐えるものでもない。通常強い力でボールを打つことのないゴルフパターに用途を限定したとしても、シャフト剛性が低いと慎重に狙いをつけてボールを打つことが難しくなってしまう。
【０００８】
また、一度シャフトの長さを変更するとこれを正確にもとの長さに戻すことが容易でないことは先の発明と共通の問題である。
【０００９】
ところで、ゴルフクラブのシャフトの長さを調整することを目的としたものではないが、特開２００６−０００４４４号公報に開示されたゴルフパター組み立てセットは注目に値する発明である。この発明は、シャフトと、ホーゼル孔を有するヘッド本体と、選択的に使用する複数のシャフト取付部材からなるゴルフパター組み立てセットであって、シャフト取付部材はそれぞれ一端をホーゼル孔に固定可能で他端にシャフトを固定可能であり、シャフトとヘッド本体を取り付けた際のシャフトとヘッドのホーゼル孔の角度（ライ角）がそれぞれ異なるものとされている。したがって、複数のシャフト取付部材を交換することでライ角を変更することができ、使用者にとって最も使い勝手の良いシャフトとヘッドのホーゼル孔の角度（ライ角）とすることができる。
【００１０】
また、シャフトとヘッドのホーゼル孔の角度（ライ角）はどのシャフト取付部材を選択するかで厳密に決まるため、他のシャフト取付部材を使用した後も元の状態に正確に復帰できるという特徴も有する。しかし、シャフトの長さの変更については、示唆・開示が無い。
【特許文献１】特開２００２−２８２４０１号公報
【特許文献２】特開２００３−２３０６４６号公報
【特許文献３】特開２００６−０００４４４号公報
【考案の開示】
【考案が解決しようとする課題】
【００１１】
本考案が解決しようとする課題は、使用者が必要に応じてシャフトの長さを調整して確実に固定することが可能で、かつ調整後の長さを正確に再現可能であり、しかもゴルフパッド全体としての重心をほとんど変化させない、ゴルフパターを提供することである。
【課題を解決するための手段】
【００１２】
前記課題を解決するため、本考案は次のような特徴を有するゴルフパター組み立てセットとしている。
【００１３】
（１）シャフトと、ヘッドと、一端側に該シャフトを固定可能なシャフト固定手段を備えつつ他端側に該ヘッドを固定可能なヘッド固定手段を備えるシャフト取付手段とを含むゴルフパター組み立てセットにおいて、該ゴルフパター組み立てセットには、少なくとも１種類のスペーサからなるスペーサセットを含んでおり、該シャフト取付手段には、スペーサを挿入取付することが可能であることを特徴としている。
【００１４】
通常、ゴルフパターはヘッドと、これに取り付けたシャフト取付手段と、シャフト取付手段に取り付けたシャフトからなり、シャフトの一端には使用者が握るためのグリップが設けられているのが常である。また、ヘッドとシャフト取付手段を取り付けるヘッド固定手段や、シャフト取付手段とシャフトを取り付けるシャフト固定手段としては、螺子止めや接着などの方法が用いられることが多い。なお、接着や溶接といった方法を用いた場合はシャフト取付手段とシャフトやヘッドが事実上一体化するが、部品としてはそれぞれを個別に観念可能であり、本考案はこのような場合をも含むものである。
【００１５】
ここで、シャフト取付手段にスペーサを挿入取付することを可能とし、ゴルフパター組み立てセットに有効長さが異なる少なくとも１種類のスペーサを含むスペーサセットを含ませると、使用者がスペーサをシャフト取付手段に挿入取付したりこれを取り外したりすることでシャフト取付手段の長さが変化し、実質的にゴルフパターのシャフトの長さを変更することが可能になる。なお、スペーサの有効長さとは、スペーサを取り付けることで実質的に変化するシャフト取付手段の長さを指しており、スペーサを取り付ける機能上必要な凸部等は含まない。以上の通り、スペーサを取り付ける場合と取り付けない場合で、スペーサの有効長さだけゴルフパターの長さを変更する事ができる。
【００１６】
また、スペーサセットに含むスペーサは１種類である必要は無く、これを有効長さの異なる２種類以上のスペーサとすれば、使用者が取り付けるスペーサの種類によっておのおののスペーサの有効長さだけゴルフパターの長さを変更することができる。また、ゴルフパターの長さの変化量はスペーサの有効長さによって正確に決まるので、長さの変更後に元の長さに戻すことも容易である。
【００１７】
ところで、本考案では、シャフト取付手段のシャフト固定手段とヘッド固定手段の間にスペーサを挿入取付可能とすることで実際にはシャフト取付手段の長さを挿入取付したスペーサの有効長さ分だけシャフト取付手段の長さが変化し、実質的にゴルフパターの長さを調整できるのであるが、スペーサの挿入取付位置はこれに限られない。例えば、シャフト固定手段部分、つまり、シャフトとシャフト取付手段の間にスペーサを挿入取付可能としても良い。この場合は、シャフトとスペーサ、および、スペーサとシャフト固定手段をそれぞれ取付可能とする。
【００１８】
なお、本考案ではゴルフパターのシャフト取付手段以外の箇所には特別な部品その他の追加を必要としない。また、シャフト取付手段はヘッドの近傍に使用される部品であり、ここにスペーサを挿入取り付けしてもゴルフパター全体の重心変化が少ない。つまり、長さ調整の可能なゴルフパターでありながら、長さ調整のできない通常のゴルフパターとほとんど同じ使用感が得られるという利点がある。
【００１９】
（２）好ましくは、前記スペーサは、２個以上を連結可能であることを特徴としている。
【００２０】
前記のように、シャフト取付手段にスペーサを取付可能とすることで、スペーサセットに含まれるスペーサの種類の数だけゴルフパターの長さを変更することができるのだが、さまざまな長さにゴルフパターの長さを変更するためには、必要なスペーサの数が非常に多くなってしまい不便である。そこで、２個以上のスペーサを連結可能とすれば、連結したスペーサの有効長さは、おのおののスペーサの有効長さの和となるので、スペーサの組み合わせの数だけゴルフパターの長さを変更することが可能になる。これにより、個別有効長さのスペーサを多数使用するよりも、スペーサセットに含めるべきスペーサの個数を少なくできる。
【００２１】
（３）好ましくは、前記スペーサセットは、３個のスペーサを含んでおり、これらの有効長さの比はおおむね１：２：４であることを特徴としている。
【００２２】
そもそもゴルフパターのシャフトの適切な長さは、１０ｃｍ以下等の極端に短いことや、１．５ｍ以上などの極端に長いことはまずありえない。使用者の身長等で大まかなシャフトの長さが決まり、これに加えて５ｃｍ乃至１０ｃｍ程度の狭い範囲で長さの微調整ができれば十分なのである。そうすると、この程度の範囲を十分な分解能で調整するため、有効長さの比がおおむね１：２：４となるスペーサを含むスペーサセットとすれば、スペーサを使用しないときの長さに対し、１つのスペーサを使用する場合に３種類、２つのスペーサを連結して使用する場合に３種類、そして３つのスペーサを使用する場合に１種類の計８通りの長さと、ほぼ等間隔に８通りの長さに調整を行うことができる。
【００２３】
なお、さらに長さ調整を細かく行いたい場合は、４個のスペーサを含んだスペーサセットとし、これらの有効長さの比をおおむね１：２：４：８とすればよい。この場合は、１６通りの長さに調整を行うことができる。
【００２４】
（４）好ましくは、前記スペーサセットは、もっとも有効長さの短いものの有効長さが１０ｍｍ乃至１５ｍｍであることを特徴としている。
【００２５】
ゴルフパターのシャフトの長さ調整に必要な分解能は、せいぜい１０ｍｍ乃至１５ｍｍ程度である。数ｍｍ程度の長さは、使用者がゴルフパターのグリップの握った際の握り具合によってばらつくものであるので、これ以上の分解能はこのばらつきに埋もれてほとんど意味をなさないからである。そこで、スペーサセットのうちもっとも有効長さの短いものの有効長さをこの程度の長さとしておけば、この分解能でゴルフパターのシャフトの長さを調整できることになる。
【００２６】
（５）好ましくは、前記スペーサは一端に螺子体を備え、他端に螺子穴を備え、これらの螺子はゴルフパターでボールを打った際に締結方向の力が作用する方向とされていることを特徴としている。
【００２７】
ゴルフパターは慎重に狙いをつけてボールを打つため、スペーサを取り付け挿入取付することでシャフト取付手段のがたつきが大きくなったりしては実用上大きな問題である。一方で複雑な機構を設けて重量が大きくなるとゴルフパターヘッド付近の重心位置が変わってしまい、これも実用上問題である。したがって、シンプルな機構で強い固定力が得られる螺子機構により、シャフト取付手段にスペーサ挿入取付することが好ましい。具体的には、スペーサの一端に棒状に突出した螺子体を設けてこれに螺子を切り、スペーサの他端に螺子穴を設けることで、スペーサ同士を順次螺子止めできるようにする。また、シャフト取付手段もシャフト固定手段とヘッド固定手段の間に螺子体と螺子穴で結合している部分を設け、ここにスペーサを挿入取付可能とする。
【００２８】
なお、すでに説明した通り、スペーサの挿入取付位置を、シャフト固定手段部分等に設けてもよいが、この場合は、シャフトとシャフト固定手段にそれぞれ螺子体と螺子穴を設けることになる。
【００２９】
また、ゴルフパターは比較的弱い力で慎重に狙いをつけてボールを打つために使用されるのであるが、それでもヘッドでボールを打った瞬間には大きなひねりがシャフト取付手段にかかることになるため、シャフト取付手段とスペーサの取り付けを螺子止めしていると、螺子を回転させるような力がかかる。この際、ひねりが螺子を緩める方向であると、ゴルフパターでボールを打った瞬間に螺子が緩んでヘッドが回転してしまうような事態が想定される。また、２つ以上のスペーサを連結して使用している場合は、螺子止め箇所が多くなるためますますこのような事態を発生する可能性が高くなる。したがって、このような事故を防止するため、螺子はボールを打った際に締結方向の力が作用する方向とすることが好ましいのである。
【００３０】
（６）好ましくは、前記スペーサの断面は、ほぼ正六角形であることを特徴としている。
【００３１】
シャフト取付手段にスペーサを螺子止めで挿入取り付けした場合、特に２つ以上のスペーサを連結して使用した場合は、取り付ける際は容易であるが、はずすことが容易でなくなる場合がある。なぜなら、ゴルフパターでは比較的弱い力で慎重に狙いをつけてボールを打つとは言うものの、瞬間的には大きなひねりがシャフト取付手段にかかり、繰り返しボールを打つうちに徐々に螺子止め部が強い力で締結することとなるからである。
【００３２】
このように強い力で締結された螺子止めを解除するにはスパナを利用できるようにするのが最も直接的であり、そのためにスペーサの断面をほぼ正六角形とする事が好ましい。なお、スパナを利用するだけであれば断面形状は正六角形に限る必要は無く、例えば正方形断面や長方形断面としたり正八角形断面とすることも可能である。しかし、前者は外観上の理由により、後者は高トルク時の強度上の理由により好ましくなく、一般的にボルトの頭に用いられるほぼ正六角形の断面がもっとも好ましい。
【００３３】
（７）好ましくは、前記スペーサの側面には、回り止め穴が設けられていることを特徴とする。
【００３４】
先に説明したとおり、シャフト取付手段とスペーサが強い力で締結された場合、スペーサの断面がほぼ正六角形形状であればレンチによってスペーサの回転を防ぎ、確実に螺子止めを解除することができるのであるが、断面形状を正六角形とすると、通常円形に近い断面形状であるシャフトや、シャフト取付手段と断面形状が異なることになって外観上好ましくない場合がある。また、円形以外の断面の２つ以上のスペーサを連結して使用した場合、連結した状態で連結面が完全に一致させることは容易ではなく、現実にはスペーサの連結面で不連続を生じることになるが、これも外観上好ましいとは言えない。
【００３５】
このため、外観上はスペーサの断面形状を円形とすることがもっとも好ましいが、これではシャフト取付手段とスペーサが強い力で締結された場合に、これを解除することが不可能になってしまう。そこで、断面形状が円形のようにレンチで回転を防止できない形状の場合は、スペーサの側面に周り止めの穴を設けておくと良い。周り止めの穴は外観上目立たない程度の大きさであることが好ましく、直径２ｍｍ乃至３ｍｍ程度とするとよい。そして、螺子止めを解除する際には、回り止め穴に鉄棒等を挿入することでスペーサの回転を防止するのである。
【考案の効果】
【００３６】
以上、本考案にかかるゴルフパターによれば、使用者が必要に応じてシャフトの長さを調整して確実に固定することが可能で、かつ調整後の長さを正確に再現可能であり、しかもシャフトの重心をほとんど変化させないという利点がある。
【考案を実施するための最良の形態】
【００３７】
以下、本考案の実施形態を図面を用いて説明する。
【実施例１】
【００３８】
図１は、本考案に係るゴルフパターセットの一実施例である。一端にグリップを備えるシャフト（１）と、ヘッド（２）のそれぞれを、シャフト接続手段（シャフト側）（３ａ）の備える図示しないシャフト固定手段およびシャフト接続手段（ヘッド側）（３ｂ）の備える図示しないヘッド固定手段で接続している。
【００３９】
シャフト接続手段（シャフト側）（３ａ）には螺子体が設けられており、とシャフト接続手段（ヘッド側）（３ｂ）には螺子穴が設けられている。前記螺子体と螺子穴は直接接続可能であり、この場合はシャフトの実質的な長さがもっとも短くなる。
【００４０】
スペーサ（もっとも短いもの）（４ａ），スペーサ（中間長さのもの）（４ｂ），スペーサ（もっとも長いもの）（４ｃ）は、シャフト接続手段（シャフト側）（３ａ）とシャフト接続手段（ヘッド側）（３ｂ）の間に任意で挿入取付可能なスペーサセットであり、図４に詳細を示す。これらはそれぞれ螺子穴（６ａ〜６ｃ）、螺子体（５ａ〜５ｃ）、回り止め穴（７ａ〜７ｃ）を備えており、どの螺子穴と螺子体も取付可能である。加えて、シャフト接続手段（シャフト側）（３ａ）の備える螺子体やとシャフト接続手段（ヘッド側）（３ｂ）の備える螺子穴とも取付可能である。したがって、スペーサセットに含まれる任意の数のスペーサを、挿入取り付けすることが可能で、これによってシャフトの実質的な長さを調整することができるのである。
【００４１】
なお、螺子はゴルフパッドでボールを打った際により締結する方向としており、ボールを打った瞬間にスペーサ等の結合が緩んでしまうことを防いでいる。つまり、図１のゴルフパターセットが右打ち用の場合は、各螺子は通常とは逆向きに螺子を切っている左螺子とするが、同図が左打ち用のゴルフパターセットであったとした場合には通常の右螺子とする。
【００４２】
また、スペーサを取り付けたり取り外したりする際にスペーサが回転してしまって作業が困難となることを防止するため、回り止め穴に鉄棒などを挿入して回転を止めることができるようになっている。
【００４３】
スペーサセットに含まれるスペーサの長さは、スペーサ（もっとも短いもの）（４ａ）が約１２．７ｍｍ、，スペーサ（中間長さのもの）（４ｂ）が約２５．４ｍｍ，スペーサ（もっとも長いもの）（４ｃ）が約５０．８ｍｍに設定されている。従って、この３種類のスペーサを挿入することでシャフトの長さを実質的に変更することができる。例えば、図２のようにスペーサ（中間長さのもの）（４ｂ）のみをシャフト接続手段に挿入接続した場合は、シャフトの長さが実質２５．４ｍｍ長くなったのと同じ状態である。また、図３のようにスペーサ（中間長さのもの）（４ｂ）とスペーサ（もっとも長いもの）（４ｃ）を挿入接続した場合は、シャフトの長さが実質７６．２ｍｍ長くなったのと同じ状態である。同様に、これら３種類のスペーサを含むスペーサセットにより、１２．７ｍｍ〜８８．９ｍｍまで１２．７ｍｍ間隔で７種類（スペーサを挿入しない場合の０ｍｍを含めると８種類）のシャフトの長さの調整が可能である。また、どのスペーサを挿入接続したかによってのみ長さの変化が決まるので、調整を何度繰り返しても厳密に所定の長さに調整可能である。
【００４４】
また、スペーサはゴルフパターのヘッドに近いシャフト取付手段に取り付けられ、この部分以外には特別な機構が設けられていないため、ゴルフパター全体の重心を乱しにくくなっている。
【産業上の利用可能性】
【００４５】
上記説明したとおり、本考案は、使用者が必要に応じてシャフトの長さを調整して確実に固定することが可能で、かつ調整後の長さを正確に再現可能であり、しかもシャフトの重心をほとんど変化させない、ゴルフパターを提供するものであり、産業上きわめて価値が高いものである。
【図面の簡単な説明】
【００４６】
【図１】本考案に係るゴルフパターセットの説明図である。
【図２】本考案に係るゴルフパターセットの組み立て例である。
【図３】本考案に係るゴルフパターセットの別の組み立て例である。
【図４】本考案に係るゴルフパターセットで使用するスペーサセットの例である。
【符号の説明】
【００４７】
１        シャフト
２        ヘッド
３ａ      シャフト接続手段（シャフト側）
３ｂ      シャフト接続手段（ヘッド側）
４ａ      スペーサ（もっとも短いもの）
４ｂ      スペーサ（中間長さのもの）
４ｃ      スペーサ（もっとも長いもの）
５ａ      スペーサ（もっとも短いもの）の螺子体
５ｂ      スペーサ（中間長さのもの）の螺子体
５ｃ      スペーサ（もっとも長いもの）の螺子体
６ａ      スペーサ（もっとも短いもの）の螺子穴
６ｂ      スペーサ（中間長さのもの）の螺子穴
６ｃ      スペーサ（もっとも長いもの）の螺子穴
７ａ      スペーサ（もっとも短いもの）の回り止め穴
７ｂ      スペーサ（中間長さのもの）の回り止め穴
７ｃ      スペーサ（もっとも長いもの）の回り止め穴
【図１】
0003137705.tif 000003
【図２】
0003137705.tif 000004
【図３】
0003137705.tif 000005
【図４】
0003137705.tif 000006